(57)【要約】【課題】例えば遊技機の扉の開放等の異常を迅速に特定できる異常監視システム及び遊技機を提供すること。【解決手段】異常監視システム１は、遊技機にて予め定められた異常が発生したことを検知する異常検知手段と、遊技機に電力が供給されている状況において異常検知手段が異常を検知した場合、有線にて異常信号を出力する有線異常信号出力手段と、遊技機に電力が供給されていない状況において異常検知手段が異常を検知した場合、無線にて異常信号を出力する無線異常信号出力手段と、異常信号を受信した場合に異常が発生したことを報知する異常報知手段と、を備えている。【選択図】図１
2015008814.tif 000002
【特許請求の範囲】
【請求項１】
遊技機にて予め定められた異常が発生したことを検知する異常検知手段と、
遊技機に電力が供給されている状況において前記異常検知手段が異常を検知した場合、異常が発生したことを示す異常信号を有線にて出力する有線異常信号出力手段と、
遊技機に電力が供給されていない状況において前記異常検知手段が異常を検知した場合、無線にて前記異常信号を出力する無線異常信号出力手段と、
前記異常信号を受信した場合に異常が発生したことを報知する異常報知手段と、を備えたことを特徴とする異常監視システム。
【請求項２】
前記有線異常信号出力手段は、遊技機に設けられていることを特徴とする請求項１に記載の異常監視システム。
【請求項３】
前記異常報知手段には、遊技機が設置された遊技場の管理装置と、前記遊技場の管理装置とは異なる遊技場外の管理装置と、が含まれるものであり、
前記有線異常信号出力手段は、前記遊技場の管理装置に対して前記異常信号を出力する一方、前記無線異常信号出力手段は、前記遊技場外の管理装置にて異常の発生を特定可能に、前記異常信号を出力することを特徴とする請求項１又は２に記載の異常監視システム。
【請求項４】
予め定められた異常が発生したことを検知する異常検知手段と、
遊技機と別体で設けられた外部電源から電力が供給されている状況において前記異常検知手段が異常を検知した場合、異常が発生したことを示す異常信号を有線にて出力する有線異常信号出力手段と、
前記外部電源から電力が供給されていない状況において前記異常検知手段が異常を検知した場合、無線にて前記異常信号を出力する無線異常信号出力手段と、
前記外部電源から電力が供給されていない状況において、前記異常検知手段及び前記無線異常信号出力手段に電力を供給する内部電力供給手段と、を備えたことを特徴とする遊技機。
【請求項５】
前記有線異常信号出力手段は、遊技機が設置された遊技場の管理装置に対して前記異常信号を出力する一方、前記無線異常信号出力手段は、前記遊技場の管理装置とは異なる遊技場外の管理装置にて異常の発生を特定可能に、前記異常信号を出力することを特徴とする請求項４に記載の遊技機。
【発明の詳細な説明】
【技術分野】
【０００１】
本発明は、遊技場に設置された遊技機の異常監視に関する。
【背景技術】
【０００２】
従来、パチンコ機やスロットマシン等の遊技機の多くには、扉の開閉を検知する扉開閉センサが設けられている。このような扉開閉センサを備える遊技機は、扉の開放が検知されたとき、内蔵するスピーカーから警告音を出力したり、扉の開放を検知したことを表す検知信号を管理装置に向けて出力することで、不正行為の発生を防止しようとしている。
【０００３】
さらに、下記の特許文献１には、遊技機に電力が供給されていない状況でバックアップ電源を使用することにより、深夜などの営業時間外において扉の開閉を監視する技術が記載されている。
【先行技術文献】
【特許文献】
【０００４】
【特許文献１】特開平１１−５７１８６号公報
【発明の概要】
【発明が解決しようとする課題】
【０００５】
しかしながら、遊技機に対する電力供給が停止している状況下での扉の開放等の異常検知がバックアップ電源の設置によって可能になったとしても、遊技機全体に電力が供給されていない状況では、警告音の出力や、管理装置への異常信号の出力等が困難である。従来の技術では、遊技機への電力供給が再開されたタイミング、すなわち遊技機の電源がオンに切り換えられたタイミングで、扉の開放等の異常の発生を報知したり異常信号を出力できるのみであり、遊技場の管理者等が異常の発生を特定できるようになるタイミングが遅過ぎるという問題がある。
【０００６】
本発明は、前記従来の問題点に鑑みてなされたものであり、例えば遊技機の扉の開放等の異常を迅速に特定できる異常監視システム及び遊技機を提供するための発明である。
【課題を解決するための手段】
【０００７】
本発明の第１の態様は、遊技機にて予め定められた異常が発生したことを検知する異常検知手段と、
遊技機に電力が供給されている状況において前記異常検知手段が異常を検知した場合、異常が発生したことを示す異常信号を有線にて出力する有線異常信号出力手段と、
遊技機に電力が供給されていない状況において前記異常検知手段が異常を検知した場合、無線にて前記異常信号を出力する無線異常信号出力手段と、
前記異常信号を受信した場合に異常が発生したことを報知する異常報知手段と、を備えたことを特徴とする異常監視システムにある（請求項１）。
【０００８】
本発明の第２の態様は、予め定められた異常が発生したことを検知する異常検知手段と、
遊技機と別体で設けられた外部電源から電力が供給されている状況において前記異常検知手段が異常を検知した場合、異常が発生したことを示す異常信号を有線にて出力する有線異常信号出力手段と、
前記外部電源から電力が供給されていない状況において前記異常検知手段が異常を検知した場合、無線にて前記異常信号を出力する無線異常信号出力手段と、
前記外部電源から電力が供給されていない状況において、前記異常検知手段及び前記無線異常信号出力手段に電力を供給する内部電力供給手段と、を備えたことを特徴とする遊技機にある（請求項４）。
【０００９】
一般的に、遊技機に電力が供給されていない状況では、有線による異常信号の出力が困難になる可能性が高い。遊技機自体で異常信号の出力ができなかったり、通信経路を構成する他の機器の電源が投入されておらず稼動していない可能性があるためである。このような場合、異常を報知する異常報知手段に対して有線で異常信号を出力することが難しくなる。
【００１０】
これに対して、本発明に係る異常監視システム及び遊技機は、遊技機に電力が供給されている状況では有線で異常信号を出力する一方、電力が供給されていない状況では無線で異常信号を出力する。このような構成を採用すれば、電力が供給されていない状況で異常が検知できなくなったり、電力供給が再開されるまで異常の特定が遅れてしまうおそれがない。異常が発生したとき、遊技機に電力が供給されている状況であるか否かに関わらず異常信号の出力が可能であり、異常が発生した旨を直ちに特定できる。
【００１１】
以上のように、本発明に係る異常監視システム及び遊技機によれば、例えば扉の開放等の異常を迅速に特定可能である。
【００１２】
本発明の遊技機としては、遊技媒体としての玉を使用（発射）して遊技されるパチンコ遊技機や、所定の入賞図柄が停止表示されたときに入賞を発生させるスロットマシン等がある。パチンコ遊技機としては、入賞に応じて玉を払い出すタイプであっても良く、ポイントを使用して玉を発射し入賞に応じてポイントが付与される、いわゆる封入式のパチンコ遊技機であっても良い。スロットマシンとしては、メダルやコイン等の遊技媒体を使用して遊技されるタイプであっても良いが、遊技媒体を使用せずポイントを使用して（賭けて）遊技でき、入賞したときにポイントが付与される、いわゆる完全クレジット式のスロットマシンであっても良い。さらに、玉を遊技媒体として使用するパロット（Ｒ）であっても良い。
【００１３】
一般的に、遊技場の営業時間内など遊技機に電力が供給されている状況では、遊技場内のほとんどの電子機器が稼動している可能性が高い。遊技場の営業中に無線で異常信号を出力した場合、各種の電子機器が発生するノイズ等の影響を受け易く異常信号の受信が不安定に陥りやすく、受信に時間がかかったり受信ができなくなるおそれがある。無線通信においては、このような不安定な状況が生じるおそれがある。そのため、異常信号を専ら無線出力することは好ましくない。一方、遊技場の閉店後においては、稼動している電子機器が少なくなるため無線で異常信号を出力しても問題が生じるおそれが少なくなる。このように、本発明では、遊技場が営業中か否かによって異常信号の出力方法を変更することで、遊技機で発生した異常を良好に特定できる。
なお、監視対象の異常としては、例えば、遊技機の開閉扉の開放や、強い衝撃が作用して振動や大きな音が発生したこと等、不正行為に付随して生じる可能性がある様々な状況がある。
【００１４】
前記第１の態様の異常監視システムにおいては、前記有線異常信号出力手段は、遊技機に設けられていることが好ましい（請求項２）。
遊技機に電力が供給されている状況であれば、遊技機が備える信号出力機能を利用して異常信号を出力できる。遊技機の信号出力機能を利用できれば、有線異常信号出力手段を別途設ける必要がなくなるので、異常監視システムのコストアップ等を回避できる。
【００１５】
前記第１の態様の異常監視システムにおいては、前記異常報知手段には、遊技機が設置された遊技場の管理装置と、前記遊技場の管理装置とは異なる遊技場外の管理装置と、が含まれるものであり、
前記有線異常信号出力手段は、前記遊技場の管理装置に対して前記異常信号を出力する一方、前記無線異常信号出力手段は、前記遊技場外の管理装置にて異常の発生を特定可能に、前記異常信号を出力する（請求項３）。
【００１６】
前記第２の態様の遊技機における有線異常信号出力手段は、遊技機が設置された遊技場の管理装置に対して前記異常信号を出力する一方、前記無線異常信号出力手段は、前記遊技場の管理装置とは異なる遊技場外の管理装置にて異常の発生を特定可能に、前記異常信号を出力することが好ましい（請求項５）。
【００１７】
遊技場が営業中であれば、管理者や従業員等が遊技場内で各種の作業を行なっている可能性が高い。そのため、異常信号を遊技場内の管理装置に出力すれば、管理者等が異常の発生を早期に特定し把握できる。一方、深夜など遊技場が営業していない場合には、遊技場内に管理者等が不在である可能性がある。それ故、遊技場内の管理装置に信号を出力しても異常の特定が遅れてしまい、異常を発生させた不正行為者を取り逃がしてしまったり、不正行為による被害が拡大してしまうおそれがある。
【００１８】
そこで、上記のように遊技場外の管理装置にて異常の発生を特定可能に異常信号を出力するように前記無線異常信号出力手段を構成すれば、遊技場の営業中ではない場合でも異常が発生したことを遊技場外にて速やかに特定できるようになる。異常の早期発見を実現できると共に、これにより、遊技場に忍び込んだ不正行為者を捕獲できる可能性が高くなる。
【００１９】
なお、遊技場外の管理装置に対して異常信号を出力する場合、遊技機に電力が供給されている状況においてのみ遊技機のメンテナンス作業を行うようにすることも良い。遊技機に電力が供給されていない状況で遊技機側から異常信号が出力されたとき、遊技場側のメンテナンス作業に起因する異常信号か否かを判定すると共に、メンテナンス作業に起因する異常信号ではないと判定した場合に限って遊技場外の管理装置に異常信号を出力するように構成された中継装置を設けることも良い。
【図面の簡単な説明】
【００２０】
【図１】実施例１における、異常監視システムの構成を示すシステム図。
【図２】実施例１における、遊技機と貸出機との組合せを示す正面図。
【図３】実施例１における、扉開閉監視装置の電気的構成を示すシステム図。
【図４】実施例１における、無線信号受信装置による開放信号対応処理の流れを示すフロー図。
【発明を実施するための形態】
【００２１】
本発明の実施の形態につき、以下の実施例を用いて具体的に説明する。
（実施例１）
本例は、遊技場に設置された遊技機の異常を監視する異常監視システム１に関する例である。この内容について、図１〜図４を参照して説明する。
【００２２】
遊技場には、パチンコ遊技機３などの遊技機が複数設置されている。各遊技機は、遊技場に設置された管理装置（以下、場内管理装置）５Ａによって管理されている。遊技場では、遊技機と場内管理装置５Ａとの間のデータ通信等を実現するための通信ネットワーク１１１が構築されている。場内管理装置５Ａによる各遊技機の管理は、この通信ネットワーク１１１を利用して実現されている。
【００２３】
遊技場の通信ネットワーク１１１には、場内管理装置５Ａのほか、２台のパチンコ遊技機３毎に設置された中継装置１０、図示しない計数装置や精算装置等が接続されている。中継装置１０には、パチンコ遊技機３のほか、各パチンコ遊技機３に個別に付設された台ランプ（図示略）及び貸出機１２が通信可能な状態で接続されている。パチンコ遊技機３等は、中継装置１０を介して通信ネットワーク１１１に接続されている。
【００２４】
遊技場外では、警備会社等に管理装置（以下、場外管理装置）５Ｂが設置されている。場外管理装置５Ｂは、公衆通信回線１１３を介して各遊技場の場内管理装置５Ａと通信可能な状態で接続されている。なお、本例に代えて、遊技場の管理を請け負う管理会社等に場外管理装置５Ｂを設置すると共に、例えば警備会社の警備システム等に対して場外管理装置５Ｂを通信可能に接続することも良い。
【００２５】
本例の異常監視システム１は、パチンコ遊技機３、パチンコ遊技機３に組み込まれた扉開閉監視装置２、中継装置１０、異常信号を無線受信する無線信号受信装置４、場内管理装置５Ａ、及び場外管理装置５Ｂを含んで構成されている。
【００２６】
扉開閉監視装置２は、パチンコ遊技機３の開閉扉３３の開閉を監視する装置である。扉開閉監視装置２は、パチンコ遊技機３の通信機能を利用し、通信ネットワーク１１１を経由して異常が発生した旨を表す異常信号を有線で出力可能である。さらに、本例の扉開閉監視装置２は、異常信号を無線で出力することも可能である。扉開閉監視装置２が出力する異常信号は、開閉扉３３が開放されたことを表す開放信号である。
無線出力された開放信号を受信する無線信号受信装置４は、専用の通信線１１２を介して通信可能な状態で場内管理装置５Ａに接続されているほか、公衆通信回線１１３を介して場外管理装置５Ｂに接続されている。
【００２７】
本例の異常監視システム１を構成するパチンコ遊技機３、扉開閉監視装置２、無線信号受信装置４、管理装置５Ａ・Ｂについて説明する。
（パチンコ遊技機）
パチンコ遊技機３は、図１及び図２のごとく、遊技媒体である玉を遊技領域３３０に向けて発射することにより遊技される遊技機である。パチンコ遊技機３は、図示しない外部電源から電力供給を受けて動作する。外部電源は、パチンコ遊技機３、貸出機１２、中継装置１０、台ランプ（図示略）の間で共用されている。この外部電源は、営業時間中に動作してパチンコ遊技機３等に電力を供給し、営業時間の経過後、所定の営業終了作業が終った後で電力供給を停止する。
【００２８】
パチンコ遊技機３は、始動入賞口への入賞に応じて大当たり抽選（特別抽選）を実行し、大当たりに当選したときに大当たり図柄を表示して大当たり状態を発生させる、いわゆるセブン機である。パチンコ遊技機３は、ＣＰＵ、ＲＯＭ、ＲＡＭ等の電子部品が実装された制御基板３０のほか、外部電源から供給された電力を制御基板３０や液晶ディスプレイや装飾ランプ３３２等に分配する電源回路３８を備えている。
【００２９】
パチンコ遊技機３は、遊技者側から見て左側のヒンジ３３３を介して回動可能な開閉扉３３を有している。この開閉扉３３には、略円形状の遊技領域３３０を見込むための透明窓３３９が設けられ、透明窓３３９の上部両側には装飾ランプ３３２やスピーカー３３７が配設されている。遊技領域３３０の下側には、図示しない発射装置に玉を供給する上皿３３５、及び上皿３３５に収容しきれなくなった玉を貯える下皿３３７が設けられている。上皿３３５の右下には、玉を発射するために遊技者が操作する操作ハンドル３５が設けられている。
【００３０】
遊技領域３３０は、図示しない発射装置から発射された玉が流下する領域である。遊技領域３３０には、図柄変動など各種の演出を実行する表示装置３９を中心として、始動入賞口、大当たり状態の発生中に開放される大入賞装置等が配置されている。遊技領域３３０の最下部には、入賞することなく流下した玉を回収するためのアウト孔が開口している。
【００３１】
制御基板３０は、パチンコ遊技機３の背面側に設けられた外部出力端子３０１から遊技信号を外部出力する機能を備えている。遊技信号としては、玉の使用（発射による消費）を表すアウト信号、入賞に応じた玉の払出を表すセーフ信号、大当たり状態の発生中にレベル出力される大当たり信号等がある。なお、より正確には、アウト信号については、パチンコ遊技機３本体ではなく、玉を回収するためにパチンコ遊技機３に付設されるアウトボックス（図示略）から出力される。パチンコ遊技機３側から出力される信号は、まず、中継装置１０に出力され、遊技機を特定可能な台番ＩＤを付加された上、外部出力端子３０１を経由して通信ネットワーク１１１に送出される。
【００３２】
制御基板３０は、パチンコ遊技機３の内部に組み込まれた扉開閉監視装置２から転送された開放信号（異常信号）を有線で出力する有線異常信号出力手段としての機能を備えている。有線異常信号出力手段は、外部出力端子３０１から開放信号を送信し、場内管理装置５Ａに対して出力する。この開放信号は、まず中継装置１０に出力され、遊技機を特定可能な台番ＩＤを付加された上で通信ネットワーク１１１に送出される。
【００３３】
（扉開閉監視装置）
扉開閉監視装置２（図１〜図３）は、パチンコ遊技機３の開閉扉３３の開閉を監視するために、パチンコ遊技機３の内部に組み込まれた装置である。図示しない外部電源から電力供給を受けてパチンコ遊技機３が動作する状況では、扉開閉監視装置２は、パチンコ遊技機３の電源回路３８から供給された電力によって動作する。一方、外部電源からのパチンコ遊技機３の電力供給が遮断されている状況では、扉開閉監視装置２は、後述する内部電力供給手段によって供給された電力によって動作する。
【００３４】
扉開閉監視装置２は、図３のごとく、ＣＰＵ、ＲＯＭ、ＲＡＭ等が１チップ化されたマイコン２０１、無線通信モジュール２０３、キャパシタ（電気二重層コンデンサ）２０５等が実装された制御基板２０を中心として構成されている。この制御基板２０には、パチンコ遊技機３の開閉扉３３のヒンジ３３３に取り付けられた扉開閉センサ２５が接続されている。
【００３５】
扉開閉センサ２５は、図示しない磁石と磁気センサとを組み合わせて構成されている。扉開閉センサ２５は、開閉扉３３が閉まっているときに磁気センサが磁石に近接し、開放されたときに磁石から磁気センサが離れるようにヒンジ３３３に取り付けられている。
無線通信モジュール２０３は、変調回路、送信回路、アンテナ等を含むモジュールである。
【００３６】
扉開閉監視装置２の制御基板２０は、以下の各手段としての機能を備えている。
（１）異常検知手段：パチンコ遊技機３の開閉扉３３が開放されたことを異常として検知する手段。本例の異常検知手段は、扉開閉センサ２５を構成する磁気センサに作用する磁界強度が急激に低下したとき、開閉扉３３が開放されたという異常を検知する。
（２）内部電力供給手段：キャパシタ２０５に蓄えた電力によって扉開閉監視装置２を動作させるバックアップ電源としての手段。パチンコ遊技機３の電源回路３８から電力を供給されている状況では、その電力の一部がキャパシタ２０５に蓄えられ、営業時間外など電源回路３８からの電力供給が停止された状況では、キャパシタ２０５に蓄えられた電力が放電され制御基板２０や扉開閉センサ２５等に供給される。
（３）電源状況判定手段：パチンコ遊技機３の電源回路３８から供給された電力により動作している状況であるか、キャパシタ２０５が放出する電力によって動作する状況であるか、を判定する手段。
（４）異常信号転送手段：パチンコ遊技機３の電源回路３８から電力を供給される状況のとき、パチンコ遊技機３の制御基板３０に対して開放信号を転送する手段。
（５）無線異常信号出力手段：パチンコ遊技機３の電源回路３８から電力を供給されず、キャパシタ２０５の蓄電力によって動作する状況のとき、無線通信モジュール２０３を利用して開放信号を無線出力する手段。なお、無線出力される開放信号には、送信元の遊技機を特定するための遊技機ＩＤが含まれている。
【００３７】
（無線信号受信装置）
無線信号受信装置４は、扉開閉監視装置２が無線出力した開放信号を受信すると共に、場内管理装置５Ａあるいは場外管理装置５Ｂに対して受信した開放信号を転送する装置である。この無線信号受信装置４は、通信ネットワーク１１１ではなく専用の通信線１１２によって場内管理装置５Ａと接続されていると共に、公衆通信回線１１３を介して場外管理装置５Ｂと接続されている。
【００３８】
無線信号受信装置４は、ＣＰＵ、ＲＯＭ、ＲＡＭ、無線通信モジュール等が実装された制御基板４０を含み、制御基板４０の動作により以下の各手段としての機能を実現する。
（１）稼動判定手段：場内管理装置５Ａの稼動状態を判定する手段。開放信号に対する場内管理装置５Ａの応答状況に応じて稼動状態を判定する。
（２）異常信号転送手段：パチンコ遊技機３側から無線で受信した開放信号を場内管理装置５Ａあるいは場外管理装置５Ｂに対して転送する手段。異常信号転送手段は、場内管理装置５Ａが稼動状態であれば、場内管理装置５Ａに対して開放信号を転送し、非稼動状態であれば、基本的に常時稼動である場外管理装置５Ｂに対して開放信号を転送する。
【００３９】
（場内管理装置、場外管理装置）
場内管理装置５Ａ及び場外管理装置５Ｂは、図１のごとく、液晶ディスプレイや図示しないプリンタやスピーカー等を含む出力部５１と、各種の演算処理を実行する装置本体５０と、キーボード及び図示しないマウスを含む入力部５２と、を備えている。装置本体５０は、演算処理を実行するＣＰＵ（Central Processing Unit）を中心とした制御機能、ハードディスクドライブ、ＲＯＭ（Read Only Memory）、ＲＡＭ（Random Access Memory）等を利用する記憶機能、及び各種信号あるいは情報を送受信する通信機能等を有している。
【００４０】
場内管理装置５Ａは、遊技場内の通信ネットワーク１１１に接続されているほか、専用の通信線１１２を介して無線信号受信装置４と通信可能な状態で接続されている。
場外管理装置５Ｂは、無線信号受信装置４や場内管理装置５Ａと公衆通信回線１１３を介して通信可能な状態で接続されている。
【００４１】
場内管理装置５Ａ及び場外管理装置５Ｂは、装置本体５０で各種のソフトウェアプログラムを実行することで以下の各機能を実現する。
（１）通信手段：無線信号受信装置４との間で通信を実行する手段。
（２）異常報知手段：開放信号を受信したときに、パチンコ遊技機３の開閉扉３３の開放という異常を報知する手段。異常報知手段は、液晶ディスプレイやスピーカーを利用して異常が発生した旨を報知する。場内管理装置５Ａは、例えば「○○番台の開閉扉が開いています。」等の音声をスピーカーから出力することにより異常を報知する。場外管理装置５Ｂは、例えば、「△△ホール（遊技場の名称）の○○番台の開閉扉が開いています。」等の音声をスピーカーから出力することにより異常を報知する。
【００４２】
なお、場内管理装置５Ａについては、営業時間外の夜間の運用が遊技場毎に異なっている可能性がある。夜間に場内管理装置５Ａの電源をＯＦＦに切り換える遊技場の場合、無線信号受信装置４から開放信号を受信しても応答することは不可能になる。一方、夜間であっても場内管理装置５Ａの電源をＯＦＦに切り換えない遊技場の場合であれば、遊技場が無人となる状況において夜間監視モードを設定することが可能になる。夜間監視モードが設定された場合であれば、開放信号に対する応答信号として夜間監視中である旨を表す夜間監視信号を返信し、後述する運用が可能になる。
【００４３】
次に、異常監視システム１を構成する無線信号受信装置４が開放信号を受信したときの対応処理の流れについて、図４のフロー図を参照しながら説明する。
無線信号受信装置４は、扉開閉監視装置２から開放信号を受信したとき（Ｓ１０１：ＹＥＳ）、場内管理装置５Ａに対して開放信号を出力する（Ｓ１０２）。この開放信号に対する応答信号が受信できないか、あるいは夜間監視中である旨を表す夜間監視信号の返信応答があった場合には（Ｓ１０３：ＹＥＳ）、場内管理装置５Ａが非稼動状態にあると判断し、場外管理装置５Ｂに対して開放信号を出力する（Ｓ１０４）。一方、ステップＳ１０３において開放信号を受信した旨を表す応答信号を場内管理装置５Ａから受信した場合には（Ｓ１０３：ＮＯ）、場外管理装置５Ｂに開放信号を出力することなくステップＳ１０１にリターンする。
【００４４】
以上のように、本例の異常監視システム１は、営業時間中であってパチンコ遊技機３に電力が供給されている状況では有線で開放信号を出力する。一方、営業時間外などパチンコ遊技機３に電力が供給されていない状況では無線で開放信号を出力する。本例の異常監視システム１によれば、パチンコ遊技機３や、中継装置１０等の通信機器に電力が供給されていない状況であっても、異常を表す開放信号を適切に出力可能である。
【００４５】
パチンコ遊技機３や中継装置１０等に電力が供給されていない状況で無線で開放信号を出力すれば、パチンコ遊技機３等に電力が供給されていない状況であっても異常を特定できなくなるおそれがない。異常が発生した後、パチンコ遊技機３の電源が投入されるまで、異常の特定が遅れてしまうこともない。本例の異常監視システム１を導入すれば、パチンコ遊技機３に電力が供給されている状態であるか否かに関わらず、開閉扉３３が開放されたときに開放信号の出力が可能になり、異常が発生した旨を直ちに特定できるようになる。
【００４６】
以上のように、本例に係る異常監視システム１によれば、開閉扉３３が開放された等の異常を迅速に特定可能である。
【００４７】
なお、本例の異常監視システム１の構成に代えて、あるいは加えて以下のような構成を採用することもできる。さらに、以下の各構成を適宜組み合わせて採用することも良い。
本例の扉開閉監視装置２では、充電可能なキャパシタ２０５を利用し、バックアップ電源として機能する内部電力供給手段を構成している。キャパシタ２０５に代えて、充電可能な二次電池を利用して内部電力供給手段を構成することも良い。さらに、充電機能のない一次電池等を利用して内部電力供給手段を構成することもできる。
【００４８】
本例では、夜間監視モードを設定可能であって、夜間監視中に開放信号を受信した時の応答信号として夜間監視信号を返信する場内管理装置５Ａを例示している。営業時間内であれば、応答信号として営業信号を返信することも良い。営業信号の返信があったとき、遊技場の従業員等によるメンテナンス作業等により開閉扉３３が開放されただけであって異常ではないと判断することも良い。メンテナンス作業に対応するメンテナンスモードを場内管理装置５Ａに設定可能とし、メンテナンスモード下ではメンテナンス信号を返信することも良い。
【００４９】
扉開閉監視装置２の扉開閉センサ２５は、磁気的に開放を検知する本例のセンサには限定されない。例えば、開閉扉３３が閉まっているときに押し込まれる一方、開閉扉３３の開放に伴って突出するボタンを備え、ボタンの突出量が大きくなったときに開放を検知する機械式の扉開閉センサ等を採用することも良い。さらに、扉側か遊技機本体側のいずれか一方にＩＣタグを取り付け、他方にタグ読取部を取り付けることも良い。ＩＣタグの読み取り結果によって開閉扉３３の開放を検知する構成を実現できる。
【００５０】
本例では、扉開閉監視装置２を組み込んだ遊技機を例示している。扉開閉監視装置２の一部又は全部の機能を遊技機とは別体で設けるようにしても良い。一部の機能を別体で設ける構成例としては、例えば、遊技機とは別体で扉開閉監視装置を設ける一方、遊技機の通信機能を利用し、遊技機が備える外部出力端子から開放信号を出力する構成等が考えられる。
【００５１】
開放信号を無線出力する場合、無線信号受信装置４を経由せずに場内管理装置５Ａが直接、開放信号を受信するように構成しても良い。この場合には、無線信号受信装置４を別途設ける必要がなくなる。あるいは、無線信号受信装置４が受信した開放信号を場外管理装置５Ｂに出力する構成を省略し、場外管理装置５Ｂに開放信号が出力されない構成を採用することも可能である。
【００５２】
開放信号を受信したときに異常が発生しているかメンテナンス作業中であるかを判定する方法を変更しても良い。例えば、夜間に遊技場外の監視等を行う警備システムが運用されている場合であれば、警備システムの稼動中に開放信号を受信したとき、異常が発生していると判定することが良い。
【００５３】
本例では、異常が発生していると判定した場合、警備会社に設置された場外管理装置５Ｂに扉開放があったことを表す開放信号を出力する構成を採用している。本例に代えて、あるいは加えて、遊技場の管理者の携帯電話に異常メールを発信するようにしても良いし、遊技場内に設けられた監視カメラにより開閉扉３３が開放された遊技機周辺を撮像するようにしても良い。この撮像画像を異常メールに添付することも良い。
【００５４】
また、遊技場の管理者等が遊技場内で作業等を行なっている状況であれば、異常が発生したことを場内放送することも良い。さらには、場内管理装置５Ａの管理を行う第三者機関に向けて、異常が発生していることを出力するようにしても良い。
【００５５】
開放信号を無線出力する際の通信方式としては、各種の通信方式を採用できる。例えば、無線ＬＡＮを用いたインターネット回線を使用することも可能である。
検知対象とする異常については、扉開放に限られるものではなく任意に変更できる。例えば、遊技機に所定の大きさ以上の衝撃が作用したときに異常を検知しても良い。
なお、場内管理装置５Ａに対して開放信号を有線出力した場合について、場外管理装置５Ｂに対しても開放信号を出力し、これにより場外管理装置５Ｂ側で異常発生を特定できるようにしても良い。
【００５６】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して前記具体例を多様に変形、変更、あるいは適宜組み合わせた技術を包含している。
【符号の説明】
【００５７】
１  異常監視システム
１０  中継装置
１１１  通信ネットワーク
１１２  通信線
１１３  公衆通信回線
１２  貸出機
２  扉開閉監視装置
２０  制御基板
２５  扉開閉センサ
３  パチンコ遊技機（遊技機）
３０  制御基板
３０１  外部出力端子
３８  電源回路
４  無線信号受信装置
４０  制御基板
５Ａ  場内管理装置
５Ｂ  場外管理装置
【図１】
2015008814.tif 000003
【図２】
2015008814.tif 000004
【図３】
2015008814.tif 000005
【図４】
2015008814.tif 000006